(57)【要約】【課題】複数の口座を開設した場合と同様の利便性と安全性を享受しながら、口座の管理が容易で、手間がかからず、複数のキャッシュカードを使用して単一の口座に関する金融取引を行うことができるようにする。【解決手段】口座に対して発行される主キャッシュカードと、前記口座に対して発行される副キャッシュカードと、前記主キャッシュカード及び副キャッシュカードを取り扱うカード取扱部並びに貨幣入出金部を備え、前記主キャッシュカード及び副キャッシュカードを使用した金融取引を行う自動取引装置と、前記副キャッシュカードの使用可能条件を格納する記憶手段を備え、前記自動取引装置に接続され、金融取引の処理を実行する勘定系の上位装置とを有し、該上位装置は、前記使用可能条件が満たされているときに、前記副キャッシュカードを使用した前記口座に関する金融取引を行うことができるようにする。【選択図】          図１
2004326508.tif 000002
【特許請求の範囲】
【請求項１】
（ａ）口座に対して発行される主キャッシュカードと、
（ｂ）前記口座に対して発行される副キャッシュカードと、
（ｃ）前記主キャッシュカード及び副キャッシュカードを取り扱うカード取扱部並びに貨幣入出金部を備え、前記主キャッシュカード及び副キャッシュカードを使用した金融取引を行う自動取引装置と、
（ｄ）前記副キャッシュカードの使用可能条件を格納する記憶手段を備え、前記自動取引装置に接続され、金融取引の処理を実行する勘定系の上位装置とを有し、
（ｅ）該上位装置は、前記使用可能条件が満たされているときに、前記副キャッシュカードを使用した前記口座に関する金融取引を行うことができるようにすることを特徴とするカード利用口座管理システム。
【請求項２】
前記自動取引装置は、前記主キャッシュカードを使用した副キャッシュカードの使用可能条件の設定又は変更を行う請求項１に記載のカード利用口座管理システム。
【請求項３】
前記使用可能条件は、前記副キャッシュカードを使用して行うことができる金融取引の種類及び取引金額である請求項１又は２に記載のカード利用口座管理システム。
【請求項４】
（ａ）口座に対して発行される主キャッシュカード及び副キャッシュカードを取り扱うカード取扱部と、
（ｂ）貨幣入出金部と、
（ｃ）前記副キャッシュカードの使用可能条件を格納する記憶手段を備え、金融取引の処理を実行する勘定系の上位装置に接続される送受信部とを有し、
（ｄ）前記使用可能条件が満たされているときに、前記副キャッシュカードを使用した前記口座に関する金融取引を行うことを特徴とする自動取引装置。
【請求項５】
前記主キャッシュカードを使用した副キャッシュカードの使用可能条件の設定又は変更を行う請求項４に記載の自動取引装置。
【請求項６】
（ａ）自動取引のためにコンピュータを、
（ｂ）口座に対して発行される主キャッシュカード及び副キャッシュカードとを取り扱うカード取扱部、
（ｃ）貨幣入出金部、並びに、
（ｄ）前記副キャッシュカードの使用可能条件を格納する記憶手段を備え、金融取引の処理を実行する勘定系の上位装置に接続される送受信部として機能させ、
（ｅ）前記使用可能条件が満たされているときに、前記副キャッシュカードを使用した前記口座に関する金融取引を行うことを特徴とする自動取引プログラム。
【発明の詳細な説明】
【０００１】
【発明の属する技術分野】
本発明は、カード利用口座管理システムに関するものである。
【０００２】
【従来の技術】
従来、銀行、信用金庫、郵便局等の金融機関の利用者が、例えば、別居している家族へ仕送りを行う場合、同一の金融機関又は他の金融機関に別の口座を開設し、該口座へ、ＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置を操作して入金や振込を行うようになっている（例えば、特許文献１参照。）。そして、別居している家族は、前記別の口座に対応するキャッシュカードを所持し、該キャッシュカードを使用して自分の居住している地域に配設されている自動取引装置を操作し、前記別の口座から必要な金額を出金することができる。また、家族が同居している場合であっても、家族毎に別の口座を開設して、例えば、小遣いを家族に渡すために利用することもできる。
【０００３】
そして、前記利用者は、家族毎の口座に対応する通帳に記帳することによって、家族毎の口座の入金や出金を把握することができ、家族毎の支出状況を管理することができる。
【０００４】
【特許文献１】
特開２００２−３６６７６８号公報
【０００５】
【発明が解決しようとする課題】
しかしながら、前記従来のシステムにおいては、利用者は、家族毎に口座を開設する必要があるので、複数の口座を管理しなければならず、手間がかかり、煩わしく感じてしまう。すなわち、家族毎の口座のそれぞれの口座残高を絶えず把握し、不足が生じそうな場合には、あらかじめ入金や振込を行う必要がある。また、例えば、家賃や学費の支払い等のように多額の出費が予定されている月末、期末等の時期には、家族毎の口座のそれぞれに対して必要額の入金や振込を行う必要がある。
【０００６】
特に、複数の口座へ定期的に、例えば、毎月、入金や振込を行うような場合、利用者は、それぞれの口座への入金や振込を毎月、個別に行う必要があり、手間がかかり、煩わしく感じてしまう。
【０００７】
また、キャッシュカードは一つの口座につき一枚ずつ発行され、家族のそれぞれが自由に使用することができるので、例えば、娯楽や遊興のような不要不急の出費のために多額の出金を行い、家賃や学費のような必要な支払いのために口座に入金されていた額が不足してしまうことがある。
【０００８】
本発明は、前記従来のシステムにおける問題点を解決して、複数の口座を開設した場合と同様の利便性と安全性を享受しながら、口座の管理が容易で、手間がかからず、複数のキャッシュカードを使用して単一の口座に関する金融取引を行うことができるカード利用口座管理システムを提供することを目的とする。
【０００９】
【課題を解決するための手段】
そのために、本発明のカード利用口座管理システムにおいては、口座に対して発行される主キャッシュカードと、前記口座に対して発行される副キャッシュカードと、前記主キャッシュカード及び副キャッシュカードを取り扱うカード取扱部並びに貨幣入出金部を備え、前記主キャッシュカード及び副キャッシュカードを使用した金融取引を行う自動取引装置と、前記副キャッシュカードの使用可能条件を格納する記憶手段を備え、前記自動取引装置に接続され、金融取引の処理を実行する勘定系の上位装置とを有し、該上位装置は、前記使用可能条件が満たされているときに、前記副キャッシュカードを使用した前記口座に関する金融取引を行うことができるようにする。
【００１０】
本発明の他のカード利用口座管理システムにおいては、さらに、前記自動取引装置は、前記主キャッシュカードを使用した副キャッシュカードの使用可能条件の設定又は変更を行う。
【００１１】
本発明の更に他のカード利用口座管理システムにおいては、さらに、前記使用可能条件は、前記副キャッシュカードを使用して行うことができる金融取引の種類及び取引金額である。
【００１２】
本発明の自動取引装置においては、口座に対して発行される主キャッシュカード及び副キャッシュカードを取り扱うカード取扱部と、貨幣入出金部と、前記副キャッシュカードの使用可能条件を格納する記憶手段を備え、金融取引の処理を実行する勘定系の上位装置に接続される送受信部とを有し、前記使用可能条件が満たされているときに、前記副キャッシュカードを使用した前記口座に関する金融取引を行う。
【００１３】
本発明の他の自動取引装置においては、さらに、前記主キャッシュカードを使用した副キャッシュカードの使用可能条件の設定又は変更を行う。
【００１４】
本発明の自動取引プログラムにおいては、自動取引のためにコンピュータを、口座に対して発行される主キャッシュカード及び副キャッシュカードとを取り扱うカード取扱部、貨幣入出金部、並びに、前記副キャッシュカードの使用可能条件を格納する記憶手段を備え、金融取引の処理を実行する勘定系の上位装置に接続される送受信部として機能させ、前記使用可能条件が満たされているときに、前記副キャッシュカードを使用した前記口座に関する金融取引を行う。
【００１５】
【発明の実施の形態】
以下、本発明の実施の形態について図面を参照しながら詳細に説明する。
【００１６】
図１は本発明の実施の形態におけるカード利用口座管理システムの構成を示す図である。
【００１７】
図において、１０は本実施の形態におけるカード利用口座管理システムであり、自動取引装置１４、ネットワーク１５及びホストコンピュータ１７を有する。ここで、前記自動取引装置１４は、銀行、信用金庫、郵便局等の金融機関の支店である営業店や、コンビニエンスストア、スーパーマーケット等の商店の店舗に配設されたＡＴＭ、ＣＤ等であり、利用者が自分で操作して入金、出金、通帳記帳、残高照会、振込、振替、送金、定期性預金設定等の金融取引を行うための装置である。なお、前記利用者は、前記金融機関に自己の口座を開設し、該口座を使用して、入金、出金、振替、振込、定期預金設定、引落、残高照会、入出金明細票入手等の各種金融に関するサービスを利用する者である。
【００１８】
また、前記自動取引装置１４は、他の機能、例えば、チケット予約機能、商品購入申込機能、クレジットカードの与信確認機能、施設情報案内機能等を有するキオスク端末のような多機能端末であってもよい。また、前記自動取引装置１４は、前記金融機関の本店、支店等、コンビニエンスストア、スーパーマーケット、デパート等の商店の店舗、駅の構内、地下街、市役所、病院等の公共施設、工場、事務所等の私企業、駐車場、道路脇等の屋外など、いかなる場所に配設されていてもよい。
【００１９】
そして、前記自動取引装置１４は、ＣＰＵ、ＭＰＵ等の演算手段、半導体メモリ、磁気ディスク等の記憶手段、通信手段等を備える一種のコンピュータであり、さらに、キーボード、タッチパネル、マウス等の入力装置、ＣＲＴ、液晶ディスプレイ、ＬＥＤ（Ｌｉｇｈｔ  Ｅｍｉｔｔｉｎｇ  Ｄｉｏｄｅ）ディスプレイ等の表示装置等を備える操作部を有する。なお、該操作部は、入力装置と表示装置との機能を兼ね備えるタッチパネルであることが望ましい。
【００２０】
また、前記自動取引装置１４は、後述されるメインカード１２やサブカード１３のようなキャッシュカードを取り扱うカード取扱部を有する。該カード取扱部は、キャッシュカードが挿入されるカードスロットを備え、該カードスロット内には、キャッシュカードを搬送する搬送装置、及び、キャッシュカードの磁気ストライプ、ＩＣ等の記憶媒体に格納された情報の読取、上書、消去等を行うための磁気ヘッド等の読取記録ヘッドが配設される。
【００２１】
さらに、前記自動取引装置１４は、預金通帳等の通帳に記帳する通帳記帳部、及び、紙幣を取り扱う紙幣入出金部と硬貨を取り扱う硬貨入出金部とから成る貨幣入出金部を有する。また、前記自動取引装置１４は、ネットワーク１５を介してホストコンピュータ１７に接続される送受信部を有する。なお、前記自動取引装置１４の数は、実際には複数であるが、本実施の形態においては、一つの自動取引装置１４で代表する。
【００２２】
また、前記自動取引端末１４は、ネットワーク１５に通信可能に接続されている。ここで、該ネットワーク１５は、オンラインネットワークであることが望ましいが、無線又は有線の専用通信回線網から成るＬＡＮ（Ｌｏｃａｌ  ＡｒｅａＮｅｔｗｏｒｋ）やイントラネット、ＷＡＮ（Ｗｉｄｅ  Ａｒｅａ  Ｎｅｔｗｏｒｋ）等の広域通信回線網であってもよいし、いかなるものであってもよい。また、前記ネットワーク１５は、公衆通信回線網を利用したＶＰＮ（Ｖｉｒｔｕａｌ  Ｐｒｉｖａｔｅ  Ｎｅｔｗｏｒｋ）であってもよい。
【００２３】
そして、前記ネットワーク１５には、ホストコンピュータ１７が通信可能に接続されている。ここで、該ホストコンピュータ１７は、ＣＰＵ、ＭＰＵ等の演算手段、磁気ディスク、半導体メモリ等の記憶手段、キーボード、マウスのようなポインティングデバイス等の入力手段、ＣＲＴ、液晶ディスプレイ等の表示手段、入出力インターフェイス、通信インターフェイス等を備えるものである。そして、前記ホストコンピュータ１７は、金融機関における金融取引の処理を実行する勘定系の上位装置として機能し、入金、出金、通帳記帳、残高照会、振込、振替、送金、定期性預金設定等の金融処理のような金融機関における勘定系の業務を遂行する。また、前記ホストコンピュータ１７は、利用者の口座情報、暗証番号等の情報を記憶手段に登録し、前記利用者が自動取引装置１４を操作して金融処理を行う際に、前記情報に基づいて金融処理の実行許可又は実行不可を前記自動取引装置１４に送信する。なお、前記ホストコンピュータ１７には、前記利用者の口座１１が開設されている。
【００２４】
さらに、前記ホストコンピュータ１７は、前記利用者が自動取引装置１４を操作して行った金融処理の結果を記録する電子的な通帳又は記録簿としても機能する。例えば、ある利用者から金融機関に対して各種金融取引に関するサービスの要求があった場合、ホストコンピュータ１７は、前記口座１１に関して各種の金融処理を実行し、該金融処理についての金額、預入元、振替先等の情報を前記利用者の口座１１について記録するようになっている。なお、前記ホストコンピュータ１７はサブカード１３のデータの管理も行う。
【００２５】
本実施の形態において、金融機関は、それぞれの口座１１に対して複数のキャッシュカードを発行する。この場合、該キャッシュカードの中の一枚が主キャッシュカードとしてのメインカード１２であり、他のキャッシュカードが前記メインカード１２に従属する副キャッシュカードとしてのサブカード１３−１〜１３−ｎ（ｎは自然数）である。なお、該サブカード１３−１〜１３−ｎの枚数は、適宜設定することができる。また、前記サブカード１３−１〜１３−ｎを統合的に説明する場合には、サブカード１３として説明する。
【００２６】
ここで、前記メインカード１２は、前記口座１１の名義人としての利用者が自動取引装置１４を操作して前記口座１１に関する金融処理を行うために使用するキャッシュカードであり、利用者の口座情報、暗証番号等の情報を格納するための図示されない記憶手段を備える。該記憶手段は、例えば、メインカード１２の表面に貼（てん）付された磁気ストライプ、メインカード１２の内部に埋め込まれたＩＣ等であるが、いかなる種類のものであってもよい。また、前記サブカード１３は、前記利用者の家族が自動取引装置１４を操作して前記口座１１に関する金融処理を行うために使用するキャッシュカードであり、使用可能条件を設定することができるようになっている。そして、前記サブカード１３は、前記メインカード１２と同様の構成を有し、磁気ストライプ、ＩＣ等の記憶手段を備えるが、該記憶手段には、利用者の口座情報、暗証番号等の情報の他に、前記メインカード１２に従属するサブカード１３であることを示す情報が格納される。
【００２７】
なお、前記使用可能条件は、前記ホストコンピュータ１７の記憶手段に格納される。該ホストコンピュータ１７の記憶手段には、メインカード１２及びサブカード１３−１〜１３−ｎのそれぞれの口座情報を格納する口座情報ファイルがあらかじめ作成されている。なお、該口座情報ファイルには、前記メインカード１２及びサブカード１３−１〜１３−ｎを使用して行われた金融取引の履歴等の情報も格納され、金融取引が行われる度に更新される。そして、前記サブカード１３−１〜１３−ｎのそれぞれに対して設定された使用可能条件は対応する口座情報ファイルに格納されるようになっている。そのため、前記利用者の家族がサブカード１３−１〜１３−ｎを使用し、自動取引装置１４を操作して金融処理を行うと、前記ホストコンピュータ１７は、前記自動取引装置１４が取得したサブカード１３−１〜１３−ｎの記憶手段に格納された情報に基づいて、対応する口座情報ファイルに格納されている使用可能条件を取得する。そして、前記ホストコンピュータ１７は、前記口座情報、暗証番号等の情報及び使用可能条件に基づいて、金融処理の実行許可又は実行不可を前記自動取引装置１４に送信する。すなわち、本実施の形態においては、前記使用可能条件が満たされているときに、前記サブカード１３−１〜１３−ｎを使用した金融取引を行うことができるようになっている。なお、前記使用可能条件は、前記サブカード１３−１〜１３−ｎの使用を制限するための条件であるとも言える。
【００２８】
そして、前記使用可能条件の対象となる金融取引は、入金、出金、通帳記帳、残高照会、振込、振替、送金、定期性預金設定等のいずれを選択することもできる。また、前記使用可能条件は、例えば、前記サブカード１３を使用して金融取引を行うことができる時間帯、日付、曜日等の時間的条件、前記サブカード１３を使用して金融取引を行うことができる自動取引装置１４、該自動取引装置１４が配設された金融機関の支店、前記金融機関、前記自動取引装置１４が配設されている地域等の地理的条件、前記サブカード１３を使用して金融取引を行うことができる金額の上限等の金額的条件であるが、いかなるものであってもよいし、複数の条件を組み合わせて設定することもできる。
【００２９】
本実施の形態において、前記サブカード１３−１〜１３−ｎのそれぞれに対する使用可能条件は、利用者がメインカード１２を使用し、自動取引装置１４を操作して設定したり変更したりするようになっている。これにより、設定又は変更された使用可能条件は、前記自動取引装置１４からホストコンピュータ１７に送信され、該ホストコンピュータ１７の記憶手段内における前記サブカード１３−１〜１３−ｎのそれぞれに対応する口座情報ファイルに格納される。なお、サブカード１３−１〜１３−ｎを使用して自動取引装置１４を操作しても、前記使用可能条件を設定したり変更したりすることはできないようになっている。
【００３０】
次に、前記構成のカード利用口座管理システムの動作について説明する。まず、口座１１の名義人としての利用者が、該利用者の家族が使用するサブカード１３の使用可能条件を設定する場合の動作について説明する。
【００３１】
図２は本発明の実施の形態におけるサブカードの使用可能条件を設定する画面の例を示す図である。
【００３２】
ここでは、前記サブカード１３が一枚目のサブカード１３−１及び二枚目のサブカード１３−２の二枚であるものとする。なお、前記使用可能条件の設定は、金融機関の窓口において、テラー等の金融機関の窓口担当者に依頼することも可能であるが、ここでは、前記利用者自身がメインカード１２を使用し、自動取引装置１４を操作して、サブカード１３−１及びサブカード１３−２のそれぞれに対する使用可能条件を設定する場合についてのみ説明する。
【００３３】
この場合、前記利用者は、金融機関の営業店等に配設された自動取引装置１４において、該自動取引装置１４の操作部に表示された図示されない初期画面に含まれる選択項目の中から、サブカードの使用可能条件の設定又は変更の項目を選択する。なお、前記操作部は入力装置と表示装置との機能を兼ね備えるタッチパネルであるとする。そのため、前記利用者は、画面に含まれる所望の選択項目にタッチすることによって該選択項目を選択することができる。
【００３４】
続いて、キャッシュカードを挿入して暗証番号を入力する旨の指示が前記操作部に表示される。そこで、前記利用者は、自分の所持するメインカード１２を自動取引装置１４のカード取扱部におけるカードスロットに挿入し、前記操作部に表示された数字キーにタッチして暗証番号を入力する。
【００３５】
そして、カード取扱部がメインカード１２の記憶媒体から読み取った暗証番号と操作部に入力された暗証番号とが一致したと自動取引装置１４が判断すると、前記操作部に、図２に示されるようなサブカードの使用可能条件を設定又は変更するための画面が表示される。まず、前記利用者は一枚目のサブカード１３−１に対応する使用可能条件を設定するために、サブ１のボタンにタッチして一枚目のサブカード１３−１を選択する。続いて、前記利用者は、使用可能条件として、一枚目のサブカード１３−１を使用して実行することができる金融取引の種類を選択する。ここでは、出金及び残高照会を選択するために、前記利用者は出金及び残高照会のボタンにタッチする。
【００３６】
続いて、前記一枚目のサブカード１３−１を使用して毎月出金することができる金額の上限、すなわち、毎月の制限金額を設定するために、前記利用者は数字及び単位を示すボタンにタッチする。ここでは、毎月の制限金額として１０万円を設定したものとする。最後に、前記利用者は、自身で設定した使用可能条件を確認し、間違いがなければ、確認のボタンにタッチする。
【００３７】
続いて、設定された使用可能条件は、カード取扱部がメインカード１２の記憶媒体から読み取った口座情報、暗証番号等の情報とともに、前記自動取引装置１４からネットワーク１５を介してホストコンピュータ１７に送信される。該ホストコンピュータ１７は、前記使用可能条件を受信すると、記憶手段内にあらかじめ作成されている前記一枚目のサブカード１３−１に対応する口座情報ファイルに前記使用可能条件を格納する。これにより、前記一枚目のサブカード１３−１を使用して行うことができる金融取引の種類は出金及び残高照会に制限され、毎月出金することができる金額は最高１０万円に制限される。
【００３８】
続いて、前記利用者は、前述された動作と同様の動作を行って、二枚目のサブカード１３−２のそれぞれに対する使用可能条件を設定する。この場合、毎月の制限金額が２万円である点を除いて、前記一枚目のサブカード１３−１の場合と同様であるので、説明を省略する。
【００３９】
次に、利用者及び利用者の家族がメインカード１２、サブカード１３−１及びサブカード１３−２を使用し、自動取引装置１４を操作して金融取引を行う場合の動作について説明する。
【００４０】
図３は本発明の実施の形態におけるメインカード及びサブカードを使用した金融取引の動作を示す図である。
【００４１】
まず、口座１１の名義人としての利用者自身がメインカード１２を使用し、自動取引装置１４を操作して金融取引を行う場合、図において矢印（ａ）で示されるように、前記利用者は、金融機関の営業店等に配設された自動取引装置１４において、該自動取引装置１４の操作部に表示された図示されない初期画面に含まれる選択項目の中から、所望の金融取引の項目を選択する。ここでは、出金を選択したものとする。
【００４２】
続いて、キャッシュカードを挿入して暗証番号を入力する旨の指示が前記操作部に表示される。そこで、前記利用者は、自分の所持するメインカード１２を自動取引装置１４のカード取扱部におけるカードスロットに挿入し、前記操作部に表示された数字キーにタッチして暗証番号を入力する。そして、カード取扱部がメインカード１２から読み取った暗証番号と操作部に入力された暗証番号とが一致したと自動取引装置１４が判断すると、前記操作部に選択した金融取引である出金を行うための画面が表示される。この場合、出金金額を入力する指示とともに数字キーが画面が表示されるので、前記利用者は数字キーにタッチして、出金金額、例えば、２０万円を入力する。
【００４３】
続いて、出金金額が入力されると、図において矢印（ｂ）で示されるように、前記自動取引装置１４は、メインカード１２の記憶媒体から読み取った口座情報、暗証番号等の情報及び出金金額をネットワーク１５を介してホストコンピュータ１７に送信する。続いて、該ホストコンピュータ１７は、口座情報、暗証番号等の情報及び出金金額を受信すると、記憶手段内にあらかじめ作成されている前記メインカード１２に対応する口座情報ファイル１６ａにアクセスする。そして、該口座情報ファイル１６ａに格納されている口座残高と出金金額である２０万円とに基づいて出金の実行許可又は実行不可を前記自動取引装置１４に送信する。この場合、口座残高が２０万円以上であれば、実行許可が送信される。そして、前記口座情報ファイル１６ａに格納されているメインカード１２を使用して行われた金融取引の履歴等の情報が更新される。
【００４４】
また、前記自動取引装置１４がホストコンピュータ１７から出金の実行許可を受信すると、貨幣入出金部から入力された２０万円に相当する貨幣が出金される。また、カード取扱部におけるカードスロットからは、メインカード１２が返却される。
【００４５】
次に、前記利用者の家族が一枚目のサブカード１３−１を使用し、自動取引装置１４を操作して金融取引を行う場合、図において矢印（ｃ）で示されるように、前記家族は、金融機関の営業店等に配設された自動取引装置１４において、該自動取引装置１４の操作部に表示された図示されない初期画面に含まれる選択項目の中から、所望の金融取引の項目を選択する。この場合、前記家族は、自身の所持する一枚目のサブカード１３−１に対して使用可能条件が設定されていることをあらかじめ認識している。すなわち、一枚目のサブカード１３−１を使用して行うことができる金融取引が出金及び残高照会であり、前記一枚目のサブカード１３−１を使用して毎月出金することができる金額の上限が１０万円であることを前記家族はあらかじめ認識しているものとする。そして、前記家族は出金を選択したものとする。
【００４６】
続いて、キャッシュカードを挿入して暗証番号を入力する旨の指示が前記操作部に表示される。そこで、前記家族は、自分の所持する一枚目のサブカード１３−１を自動取引装置１４のカード取扱部におけるカードスロットに挿入し、前記操作部に表示された数字キーにタッチして暗証番号を入力する。そして、カード取扱部が一枚目のサブカード１３−１から読み取った暗証番号と操作部に入力された暗証番号とが一致したと自動取引装置１４が判断すると、前記操作部に選択した金融取引である出金を行うための画面が表示される。この場合、出金金額を入力する指示とともに数字キーが画面が表示されるので、前記家族は数字キーにタッチして、出金金額、例えば、５万円を入力する。
【００４７】
続いて、出金金額が入力されると、図において矢印（ｄ）で示されるように、前記自動取引装置１４は、一枚目のサブカード１３−１の記憶媒体から読み取った口座情報、暗証番号等の情報及び出金金額をネットワーク１５を介してホストコンピュータ１７に送信する。続いて、該ホストコンピュータ１７は、口座情報、暗証番号等の情報及び出金金額を受信すると、記憶手段内にあらかじめ作成されている前記一枚目のサブカード１３−１に対応する第１のサブカード口座情報ファイル１６ｂにアクセスする。そして、該第１のサブカード口座情報ファイル１６ｂに格納されている一枚目のサブカード１３−１に対して設定された使用可能条件を満たしているか否かを判断する。そして、使用可能条件を満たしている場合、図において矢印（ｅ）で示されるように、前記自動取引装置１４は、前記メインカード１２に対応する口座情報ファイル１６ａにアクセスする。そして、該口座情報ファイル１６ａに格納されている口座残高と出金金額とに基づいて出金の実行許可又は実行不可を前記自動取引装置１４に送信する。この場合、口座残高が出金金額以上であれば、実行許可が送信される。そして、前記口座情報ファイル１６ａ及び第１のサブカード口座情報ファイル１６ｂに格納されている一枚目のサブカード１３−１を使用して行われた金融取引の履歴等の情報が更新される。
【００４８】
また、前記自動取引装置１４がホストコンピュータ１７から出金の実行許可を受信すると、貨幣入出金部から入力された出金金額である５万円に相当する貨幣が出金される。また、カード取扱部におけるカードスロットからは、一枚目のサブカード１３−１が返却される。
【００４９】
次に、前記利用者の他の家族が二枚目のサブカード１３−２を使用し、自動取引装置１４を操作して金融取引を行う場合、図において矢印（ｆ）で示されるように、前記他の家族は、金融機関の営業店等に配設された自動取引装置１４において、該自動取引装置１４の操作部に表示された図示されない初期画面に含まれる選択項目の中から、所望の金融取引の項目を選択する。この場合、前記他の家族は、自身の所持する二枚目のサブカード１３−２に対して使用可能条件が設定されていることをあらかじめ認識している。すなわち、二枚目のサブカード１３−２を使用して行うことができる金融取引が出金及び残高照会であり、前記二枚目のサブカード１３−２を使用して毎月出金することができる金額の上限が２万円であることを前記他の家族はあらかじめ認識しているものとする。そして、前記他の家族は出金を選択したものとする。
【００５０】
続いて、キャッシュカードを挿入して暗証番号を入力する旨の指示が前記操作部に表示される。そこで、前記他の家族は、自分の所持する二枚目のサブカード１３−２を自動取引装置１４のカード取扱部におけるカードスロットに挿入し、前記操作部に表示された数字キーにタッチして暗証番号を入力する。そして、カード取扱部が二枚目のサブカード１３−２から読み取った暗証番号と操作部に入力された暗証番号とが一致したと自動取引装置１４が判断すると、前記操作部に選択した金融取引である出金を行うための画面が表示される。この場合、出金金額を入力する指示とともに数字キーが画面が表示されるので、前記他の家族は数字キーにタッチして、出金金額、例えば、１万円を入力する。
【００５１】
続いて、出金金額が入力されると、図において矢印（ｇ）で示されるように、前記自動取引装置１４は、二枚目のサブカード１３−２の記憶媒体から読み取った口座情報、暗証番号等の情報及び出金金額をネットワーク１５を介してホストコンピュータ１７に送信する。続いて、該ホストコンピュータ１７は、口座情報、暗証番号等の情報及び出金金額を受信すると、記憶手段内にあらかじめ作成されている前記二枚目のサブカード１３−２に対応する第２のサブカード口座情報ファイル１６ｃにアクセスする。そして、該第２のサブカード口座情報ファイル１６ｃに格納されている二枚目のサブカード１３−２に対して設定された使用可能条件を満たしているか否かを判断する。そして、使用可能条件を満たしている場合、図において矢印（ｈ）で示されるように、前記自動取引装置１４は、前記メインカード１２に対応する口座情報ファイル１６ａにアクセスする。そして、該口座情報ファイル１６ａに格納されている口座残高と出金金額とに基づいて出金の実行許可又は実行不可を前記自動取引装置１４に送信する。この場合、口座残高が出金金額以上であれば、実行許可が送信される。そして、前記口座情報ファイル１６ａ及び第２のサブカード口座情報ファイル１６ｃに格納されている二枚目のサブカード１３−２を使用して行われた金融取引の履歴等の情報が更新される。
【００５２】
また、前記自動取引装置１４がホストコンピュータ１７から出金の実行許可を受信すると、貨幣入出金部から入力された出金金額である１万円に相当する貨幣が出金される。また、カード取扱部におけるカードスロットからは、二枚目のサブカード１３−２が返却される。
【００５３】
このように、本実施の形態においては、一つの口座１１に対して、主キャッシュカードとしての単一のメインカード１２と、該メインカード１２に従属する副キャッシュカードとしての単数又は複数のサブカード１３とが発行される。そして、該サブカード１３に対しては使用可能条件を設定することができるようになっている。
【００５４】
これにより、口座１１の名義人としての利用者が前記メインカード１２を使用し、前記利用者の家族が前記サブカード１３を使用することによって、前記利用者及び家族のそれぞれが一つの口座１１に関する金融取引を行うことができる。そのため、小遣いを渡したり仕送りを行う場合、他の口座への入金や振込を行う必要がなく、家族内での金銭の管理を自動化することができる。また、一つの口座１１を管理するだけでよいので、口座の管理が容易になる。
【００５５】
また、サブカード１３に対しては使用可能条件を設定することができるので、一つの口座１１を家族と共有しても、前記利用者は口座１１を適切に管理することができる。
【００５６】
さらに、自動取引装置１４を操作することによって、サブカード１３に対する使用可能条件を設定したり変更したりすることができるので、利用者は手間がかからず、煩わしく感じることがない。
【００５７】
なお、本発明は前記実施の形態に限定されるものではなく、本発明の趣旨に基づいて種々変形させることが可能であり、それらを本発明の範囲から排除するものではない。
【００５８】
【発明の効果】
以上詳細に説明したように、本発明によれば、複数の口座を開設した場合と同様の利便性と安全性を享受しながら、口座の管理が容易で、手間がかからず、複数のキャッシュカードを使用して単一の口座に関する金融取引を行うことができる。
【図面の簡単な説明】
【図１】本発明の実施の形態におけるカード利用口座管理システムの構成を示す図である。
【図２】本発明の実施の形態におけるサブカードの使用可能条件を設定する画面の例を示す図である。
【図３】本発明の実施の形態におけるメインカード及びサブカードを使用した金融取引の動作を示す図である。
【符号の説明】
１０    カード利用口座管理システム
１１    口座
１２    メインカード
１３、１３−１、１３−ｎ    サブカード
１４    自動取引装置
１７    ホストコンピュータ
【図１】
2004326508.tif 000003
【図２】
2004326508.tif 000004
【図３】
2004326508.tif 000005